(57)【特許請求の範囲】
【請求項１】
試料に滴定試薬を供給し、光度プローブにて色調変化を検出し、光度滴定を行う滴定装置において、
前記光度プローブは、入力側光ファイバと、出力側光ファイバと、前記入力側光ファイバ及び出力側光ファイバの一端に設けられた試料の色調変化を検出する測定部と、を備えており、
前記入力側光ファイバの前記測定部とは反対側の入射端に光を投射する一つの光源を固定して使用した発光部と、前記出力側光ファイバの前記測定部とは反対側の出射端からの出射光を受光する受光部と、前記光度プローブにて検出される色に対応した波長の光のみを透過させる干渉フィルタであって、透過させる光の波長が異なる干渉フィルタを複数備えたフィルタ装置と、を備え、
前記フィルタ装置は、前記光ファイバ出射端と前記受光部との間の光路中に、前記複数の干渉フィルタのいずれかの干渉フィルタを配置することができ、
前記光ファイバ出射端と前記受光部との間の光路中に配置される干渉フィルタは、測定される試料及び指示薬により検知される変色の色に応じて予め設定された波長の光を透過させる干渉フィルタに自動的に切り換えられる、
ことを特徴とする滴定装置。
【請求項２】
試料を収容した試料容器を複数載置することのできるターンテーブルを備えた容器移送装置を備えており、
前記ターンテーブルに配置した前記試料容器毎に前記光度プローブにて検出される色に対応した光の波長を設定し、
前記試料の光度滴定を開始する前に、前記複数の干渉フィルタは、前記測定される前記試料容器毎に前記予め設定された波長の光を透過させる干渉フィルタに自動的に切り換える、
ことを特徴とする請求項１に記載の滴定装置。
【請求項３】
一つの試料容器に対して、連続的に前記干渉フィルタを切り替えて、各々の前記フィルタに対して、前記光度プローブにて色調変化を検出する光度滴定を段階的に行うことを特徴とする請求項１又は２に記載の滴定装置。
【発明の詳細な説明】
【技術分野】
【０００１】
本発明は、指示薬法による色調変化を検出する光度滴定を行う滴定装置に関し、例えば、具体的には、水溶液中の鉛イオンの分析、食用油の酸価の分析、ニッケルメッキ液中のＮｉ2+イオンの分析、硫酸イオン（ＳＯ42-）の分析、上水の全硬度の分析、カルシウムとマグネシウムの分別定量、などに利用される滴定装置に関するものである。
【背景技術】
【０００２】
従来、指示薬法による色調変化を検出する光度滴定を行う滴定装置は、例えば、水溶液中の鉛イオンの分析、食用油の酸価の分析、ニッケルメッキ液中のＮｉ2+イオンの分析、硫酸イオン（ＳＯ42-）の分析、上水の全硬度の分析、などに好適に利用されている。図５に、従来の光度滴定を行う滴定装置１Ａの一例を示す。
【０００３】
本例において、滴定装置１Ａは、滴定装置本体２と、滴定試薬を被検液（試料）に制御可能に供給する滴定試薬供給装置（滴定ビュレット）３と、試料を撹拌する撹拌装置（スターラ）９ａと、光度プローブ７を備えた光度測定ユニット５と、を備えている。
【０００４】
スターラ９ａには、試料を収容したビーカなどの試料容器Ｃが載置される。ビーカＣ内には光度プローブ７と、滴定ノズル８が配置されており、試料中に浸漬されている。試料は、スターラ９ａの作用により、ビーカ内に配置された撹拌子（スターラチップ）９ｂが回転することにより撹拌可能とされる。
【０００５】
滴定ビュレット３は、ピストン３１を備えたシリンジ３２と、シリンジ３２のピストン３１を駆動する駆動装置３３と、滴定試薬を収容した滴定試薬容器３４とを備えている。駆動装置３３によりシリンジ３２のピストン３１を駆動することにより、滴定試薬容器３４内の滴定試薬が三方コック３５を介して、シリンジ３２内に導入される。また、シリンジ３２内の滴定試薬は、駆動装置３３によりシリンジ３２のピストン３１を駆動することにより、三方コック３５を介して滴定ノズル８へと送給され、試料中に注入される。
【０００６】
滴定ビュレット３内の駆動装置３３、三方コック３５等は、滴定装置本体２内に設けた滴定制御部２ｂにより制御駆動され、試料中に滴定試薬を少量ずつ供給する。
【０００７】
光度プローブ７が接続された光度測定ユニット５は、発光部５１と受光部５２とを備えている。発光部５１から光は、光ファイバ１０により光度プローブ７に伝達され、光度プローブ７が浸漬されている試料中を透過し、試料中を透過した光は光度プローブ７から光ファイバ１１により受光部５２へと伝達され、試料中を通る透過光量の大きさが検出されている。
【０００８】
つまり、試料中には指示薬が予め添加されており、滴定試薬を供給することによるビーカＣ内の試料の色調変化は、光度測定ユニット５に接続された光度プローブ７により透過光量の変化として検出され、光度測定ユニット５からの検出信号は、アンプ５３、Ａ／Ｄ変換器５４を経由して、滴定装置本体２に設けたデータ処理部２ｃに送信され、自動的に分析される。その結果は、表示部２ｄに表示される。
【０００９】
光度滴定を行う場合、使用する指示薬の種類により、変色する色が異なる。そのために、従来、上記構成の滴定装置１Ａにおいては、図５に示すように、光度測定ユニット５の発光部５１の光源としては、例えば、広域の連続波長を含むタングステンランプ或いはＬＥＤのような一つの光源を固定して使用し、使用する指示薬及び変化する色に応じて、受光部５２に入射する光を光学フィルタ（干渉フィルタ）ｆにて特定波長のみに制限する構成とされている。そのために、複数の干渉フィルタを準備して、必要に応じて、手動操作により所望のフィルタに交換して滴定することが行われていた。
【００１０】
このように、従来の滴定装置１Ａでは、干渉フィルタを目的に合わせてその都度、交換することが必要とされ、フィルタ交換に手間がかかるという問題を有している。
【００１１】
また、従来、ターンテーブルに多数のビーカを載置し、連続して多くの試料（多検体）の測定を行うことが行われている。
【００１２】
この場合、連続的に測定できるものは、１つの特定波長のフィルタで測定可能なものを１セットとしてターンテーブル上に配置する必要があり、別の波長のフィルタを使用して測定する試料は、前記１セットの試料の測定終了後に別のセットとしてターンテーブル上に配置し、別の波長のフィルタに交換して、連続的に測定するようになっている。そのため、使用する波長の違う干渉フィルタを用いた多検体測定はできなかった。
【００１３】
また、特許文献１は、二液系での滴定を必要とせず、さらに硬度が高い給水でも測定可能な硬度測定方法について記載されており、この装置において、金属指示薬が硬度（カルシウムまたはマグネシウム等）と反応した場合に生じる透過率を測定する場合、「硬度が低い場合と高い場合は、金属指示薬と硬度（カルシウムまたはマグネシウム等）とのキレートによる極大吸収波長が異なる」との考えに基づいて、これらの極大吸収波長近傍の光を透過する光学フィルタを複数個用意してそれぞれの波長で透過率を測定することを開示している。
【００１４】
つまり、特許文献１の硬度測定装置１Ｂでは、図６に示すように、給水配管１００から透明容器１０１内へと被測定溶液を流入させる。測定後、透明容器１０１内の被測定溶液は、排出配管１０２より排出させる。ここで、透明容器１０１内に、ポンプ１０３を介して金属指示薬１０４を流入させ、透明容器１０１内に一つの光源１０５から光を複数のフィルタ１０６、１０６を介して透明容器１０１を照射する。透明容器１０１を通過した光は、各フィルタ１０６、１０６に対応して配置された複数の受光素子１０７、１０７を用いて光を受光し、各受光素子１０７、１０７で受光した光から被測定溶液の透過率を求め、硬度を測定する構成とされている。
【特許文献１】特開２００１−２０１４９７号公報
【発明の開示】
【発明が解決しようとする課題】
【００１５】
しかしながら、上記特許文献１の装置では、光源１０５は一つであるとしても、装置内にフィルタ１０６と受光素子１０７の組み合わせを複数組設置することが必要であり、構成部品が多くなると共に、装置の大型化を余儀なくする。
【００１６】
更には、上記特許文献１の硬度測定装置１Ｂをもし、他の異なる試料の滴定装置として使用する場合には、当然のことながら、フィルタ１０６を試料毎に他のフィルタに交換することが必要となり、そのために、手間がかかるという問題を有している。
【００１７】
また、上記特許文献１の硬度測定装置１Ｂの構成では、連続して種類の異なる多数の検体（試料）の滴定を行うことは不可能である。
【００１８】
そこで、本発明の目的は、最適の指示薬を使用し、連続して多検体の光学滴定を効率よく、迅速に、且つ、高精度にて行うことのできる滴定装置を提供することである。
【００１９】
本発明の他の目的は、一つの検体に対して複数波長の光学滴定を行うことのできる滴定装置を提供することである。
【００２０】
本発明の他の目的は、部品点数を少なくし、小型化が可能な滴定装置を提供することである。
【課題を解決するための手段】
【００２１】
上記目的は本発明に係る滴定装置にて達成される。
【００２２】
本発明によると、試料に滴定試薬を供給し、光度プローブにて色調変化を検出し、光度滴定を行う滴定装置において、
前記光度プローブは、入力側光ファイバと、出力側光ファイバと、前記入力側光ファイバ及び出力側光ファイバの一端に設けられた試料の色調変化を検出する測定部と、を備えており、
前記入力側光ファイバの前記測定部とは反対側の入射端に光を投射する一つの光源を固定して使用した発光部と、前記出力側光ファイバの前記測定部とは反対側の出射端からの出射光を受光する受光部と、前記光度プローブにて検出される色に対応した波長の光のみを透過させる干渉フィルタであって、透過させる光の波長が異なる干渉フィルタを複数備えたフィルタ装置と、を備え、
前記フィルタ装置は、前記光ファイバ出射端と前記受光部との間の光路中に、前記複数の干渉フィルタのいずれかの干渉フィルタを配置することができ、
前記光ファイバ出射端と前記受光部との間の光路中に配置される干渉フィルタは、測定される試料及び指示薬により検知される変色の色に応じて予め設定された波長の光を透過させる干渉フィルタに自動的に切り換えられる、
ことを特徴とする滴定装置が提供される。
【００２３】
本発明にて、一実施態様によると、試料を収容した試料容器を複数載置することのできるターンテーブルを備えた容器移送装置を備えており、
前記ターンテーブルに配置した前記試料容器毎に前記光度プローブにて検出される色に対応した光の波長を設定し、
前記試料の光度滴定を開始する前に、前記測定される前記試料容器毎に前記予め設定された波長の光を透過させる干渉フィルタに自動的に切り換える。
【００２４】
本発明にて、他の実施態様によると、一つの試料容器に対して、連続的に前記干渉フィルタを切り替えて、各々の前記フィルタに対して、前記光度プローブにて色調変化を検出する光度滴定を段階的に行う。
【発明の効果】
【００２５】
本発明によれば、
（１）最適の指示薬を使用し、連続して種類の異なる多検体の光学滴定を効率よく、迅速に、且つ、高精度にて行うことができる。
（２）一つの検体に対して複数波長の光学滴定を行うことができる。
（３）部品点数を少なくし、小型化が可能である。
【発明を実施するための最良の形態】
【００２６】
以下、本発明に係る滴定装置を図面に則して更に詳しく説明する。
【００２７】
実施例１
図１及び図２を参照して、本発明に係る滴定装置の一実施例を説明する。
【００２８】
図１には、本実施例の滴定装置１の概略全体構成がブロック図にて示されている。本実施例にて、滴定装置１は、先に図５を参照して説明した従来の滴定装置１Ａと同様に、滴定装置本体２と、滴定試薬を被検液（試料）に制御可能に供給する滴定試薬供給装置（滴定ビュレット）３と、を有している。
【００２９】
更に、本実施例の滴定装置１は、容器移送装置４を備えている。容器移送装置４は、図２を参照するとより良く理解されるように、装置本体４１と、装置本体４１の上部にて回転することのできるターンテーブル４２とを備えている。ターンテーブル４２には、検体である試料を収容したビーカなどとされる試料容器Ｃ（Ｃ１、Ｃ２、Ｃ３、・・・・・・Ｃｎ）を複数、例えば、最大１００個、載置することができる。ただ、ターンテーブル４２の大きさは、これに限定されるものではない。
【００３０】
各試料容器Ｃは、ターンテーブル４２を回転することにより、光度プローブなどが設置された測定位置（図１、図２における試料容器Ｃ１の位置）へと移送される。このような容器移送装置４は、例えば、本特許出願人により「ターンテーブル  ＴＴＴ−５１０（商品名）」（東亜ディーケーケー株式会社製）などとして種々のタイプのものが市販されており、当業者には周知である。従って、容器移送装置４についての詳しい説明は省略するが、簡単に説明すると次の通りである。
【００３１】
本実施例の容器移送装置４にて、容器移送装置本体４１の上部に設置されたターンテーブル４２は、モータなどの駆動手段（図示せず）により回転自在とされ、滴定装置本体２に設けられたターンテーブル制御部２ｅにより制御される。
【００３２】
また、本実施例では、図２を参照すると理解されるように、容器移送装置４には、光度プローブ作動装置４３が設置されている。作動装置４３は、ホルダー４４を備えており、光度プローブ７を保持している。なお、ホルダー４４は、本実施例では、光度プローブ７と同時に、滴定ノズル８、更には、試料容器Ｃ内の試料を撹拌するためのスターラ９を保持している。スターラ９は、モータなどの駆動手段（図示せず）と連結されて回転する撹拌翼などを好適に用いることができる。
【００３３】
作動装置４３は、図２に示すように、ホルダー４４を駆動して、
（１）光度プローブ７、滴定ノズル８、スターラ９を、図２に示す測定位置（図１に示す試料容器Ｃ１の位置）に移送されてきた試料容器Ｃ内に装入、配置する第１のポジションＰ１と、
（２）測定が終了した後に、光度プローブ７、滴定ノズル８、スターラ９を試料容器Ｃ内から上方に引き上げ（第２のポジションＰ２）、洗浄槽４５の位置へと移送し（第３のポジションＰ３）、次いで、洗浄槽４５内へと挿入配置し、洗浄する第４のポジションＰ４と、
の各ポジションに光度プローブ７、滴定ノズル８、スターラ９を移動することができる。
【００３４】
作動装置４３の制御は、ターンテーブル４２の制御に連動して、移送装置本体４１に設けた制御部４ａ（図１参照）により制御される。
【００３５】
また、スターラ９は、作動装置４３の作動と連動して制御部４ａにて駆動制御され、試料容器Ｃ中の試料、指示薬、滴定試薬を撹拌混合する。勿論、本実施例のスターラ９の代わりに、従来技術にて説明したように、ビーカ内に配置された撹拌子（スターラチップ）が回転する構成のマグネチックスターラとすることも可能である。
【００３６】
光度プローブ７は、図３に示すように、試料容器Ｃの試料（被検液）中に浸漬される測定部７１ａを備えた光度プローブ本体７１に、入力側及び出力側の光ファイバ１０、１１の一端が接続されている。光度プローブ７に接続された入力側及び出力側の光ファイバ１０、１１の、前記測定部７１ａとは反対側の入射端１０ａ及び出射端１１ａは、図１に示すように、光度測定ユニット５に着脱自在に取り付けられている。
【００３７】
図１にて、滴定ノズル８は、滴定ビュレット３に接続され、滴定ビュレット３から所定量の滴定試薬が供給される。
【００３８】
次に、滴定ビュレット３について説明する。
【００３９】
滴定ビュレット３は、従来と同様の構成とされ、滴定装置本体２とは別体とされる滴定ビュレット装置本体３０を備えている。装置本体３０には、ピストン３１を備えたシリンジ３２と、シリンジ３２のピストン３１を駆動する駆動装置３３と、滴定試薬を収容した滴定試薬容器３４とを備えている。
【００４０】
駆動装置３３によりシリンジ３２のピストン３１を駆動することにより、滴定試薬容器３４内の滴定試薬が三方コック３５を介して、シリンジ３２内に導入される。また、シリンジ３２内の滴定試薬は、駆動装置３３によりシリンジ３２のピストン３１を駆動することにより、所定量だけ、三方コック３５を介して滴定ノズル８へと送給され、試料容器Ｃに収容された試料（被検液）中に供給される。
【００４１】
滴定ビュレット３内のシリンジ駆動装置３３、三方コック駆動装置（図示せず）等は、滴定装置本体２内に設けた滴定制御部２ｂにより制御駆動され、予め指示薬が添加された試料中に滴定試薬を所定量ずつ供給する。
【００４２】
本実施例の滴定装置１にて、複数の滴定試薬の使用を可能とするために、上記構成の滴定ビュレット３を異なる滴定試薬毎に設けることも可能である。この場合には、複数の滴定ビュレット３の数分だけ滴定ノズル８を用意し、所定の滴定試薬に該当するビュレット３を駆動させて接続された滴定ノズル８から滴定試薬を供給する構成とする。
【００４３】
次に、図１を参照して、光度プローブ７が接続された光度測定ユニット５について説明する。
【００４４】
光度測定ユニット５は、発光部５１と受光部５２とを備えている。発光部５１から発した光は、光度測定ユニット５に接続された光ファイバ入射端１０ａに投射され、入力側光ファイバ１０を通り光度プローブ本体７１に伝達され、光度プローブ測定部７１ａが浸漬されている試料中を透過する。光度プローブ測定部７１ａにて試料中を透過した光は、出力側光ファイバ１１により光度測定ユニット５へと伝達される。光度測定ユニット５に到達した光は、光ファイバ出射端１１ａから受光部５２へと出射され、受光部５２は、出射光の光度により試料中の透過光量の大きさを検出する。
【００４５】
つまり、滴定試薬を供給することにより変化するビーカ内の色調変化は、光度測定ユニット５に接続された光度プローブ７により測定部７１ａの透過光量の変化として受光部５２にて電気信号に変換される。受光部５２からの出力信号は、アンプ５３にて増幅され、Ａ／Ｄ変換器５４にてＡ／Ｄ変換されて、滴定装置本体２に設けたデータ処理部２ｃに送信される。滴定装置本体２は、データ処理部２ｃにて自動的に分析し、その結果を、液晶ディスプレーなどを備えた表示部２ｄにて表示するか、又は（或いは、同時に）、プリントアウトする。
【００４６】
上記構成の光度滴定による滴定装置１は、滴定を有効に実施するために、試料（即ち、試料中の測定する目的物）によって使用する指示薬を異ならせることができ、使用する指示薬の種類により、変色する色が異なる。
【００４７】
従って、本実施例の滴定装置１においては、光度滴定を効率よく、且つ、高精度に実施するために、図１に示すように、光度測定ユニット５の発光部５１の光源としては、例えば、広域の連続波長を含むタングステンランプ、或いは、発光ダイオード（ＬＥＤ）のような一つの光源を固定して使用し、使用する試料及び指示薬、即ち、光度プローブ７にて検知される変色の色に応じて、出射端１１ａから受光部５２に入射する光を光学フィルタ（干渉フィルタ）ｆにて特定波長のみに制限する。
【００４８】
そのために、本実施例では、複数の干渉フィルタｆを備えたフィルタ装置６０を有する。フィルター装置６０は、使用する試料及び指示薬に応じて、最適の干渉フィルタｆが自動的に交換される。干渉フィルタｆは、本実施例では、光度測定ユニット５における、光度プローブ７からの光が到達する光ファイバ出射端１１ａと受光部５２との間に位置して、光ファイバ出射端１１ａと受光部５２との光路を遮る態様で配置される。
【００４９】
本実施例にて、複数の干渉フィルタｆは、二つのフィルタｆ１、ｆ２とされ、二つのフィルタｆ１、ｆ２は、ソレノイドなどの駆動手段６１により駆動され、いずれかのフィルタが光ファイバ出射端１１ａと受光部５２との間に位置するように構成される。ソレノイド６１は、滴定装置本体２に設けたフィルタ駆動制御部２ｆにより制御される。
【００５０】
複数の干渉フィルタｆを備えたフィルタ装置６０は、上記実施例に限定されるものではなく、例えば、図４（ａ）、（ｂ）に示す構成とすることもできる。
【００５１】
つまり、フィルタ装置６０は、回転自在の設けられた円盤状の基板、即ち、回転円板６２を有し、この回転円板６２に複数の干渉フィルタｆが取り付けられている。本実施例では、複数の干渉フィルタｆは、２個のフィルタｆ１、ｆ２とされるが、所望により、３個或いは４個ｆ１〜ｆ４、或いは、それ以上とされる。回転円板６２は、モータなどの駆動手段６３により回転する構成とし、いずれかの干渉フィルタが光ファイバ出射端１１ａと受光部５２との間の光路中に位置するように構成される。モータ６３は、滴定装置本体２に設けたフィルタ駆動制御部２ｆにより制御される。
【００５２】
上記構成の本実施例の滴定装置１によれば、容器移送装置４のターンテーブル４２には複数の試料容器Ｃ（Ｃ１、Ｃ２、・・・・・・Ｃｎ）が配置される。そして、ターンテーブル４２に配置した試料容器（即ち、被検液である試料）Ｃ（Ｃ１、Ｃ２、・・・・・・Ｃｎ）毎に目的波長の設定を行う。勿論、各試料容器Ｃには試料（被検液）に応じた最適の指示薬を予め添加しておく。更には、必要に応じて、使用する滴定試薬、即ち、滴定ビュレット３の設定を行う。
【００５３】
目的波長の設定、滴定ビュレットの設定等は、滴定装置本体２の操作部２ａ、更には、滴定ビュレット本体の操作部（図示せず）により行う。これらの設定が終了した後、連続測定を開始する。
【００５４】
連続測定が開始されると、容器移送装置４のターンテーブル４２が駆動され、所定の試料容器Ｃが測定位置にセットされる。光度測定ユニット５では、測定位置に移送された試料容器Ｃに対応して最適のフィルタｆの選択が行われ、滴定ビュレット３が作動して光度滴定を行う。一つの試料（検体）の測定が終了すると、移送装置４の作動装置４３が作動し、光度プローブ７等を試料容器Ｃから引き上げる。次いで、ターンテーブル４２が駆動され、次の試料容器が測定位置にセットされる。この時、必要に応じて、作動装置４３が作動され、ホルダーに保持された光度プローブ７等を洗浄槽へと移送し、洗浄する。
【００５５】
その後、作動装置４３により、光度プローブ等が測定位置にセットされた次の試料容器Ｃ中に挿入され、測定を開始する。
【００５６】
上記実施例の滴定装置を使用した具体例について説明する。本実施例の滴定装置を使用して、例えば、水溶液中の鉛の分析、水溶液中のニッケルの分析、において多検体の光学滴定を実施することができる。本具体例では、以下の構成とされた。
【００５７】
試料容器Ｃを５個使用し、各試料容器Ｃ１、Ｃ２、Ｃ３、Ｃ４、Ｃ５には、試料として、メッキ液や廃液を使用し、各試料容器には、指示薬として、下記のものを添加した。滴定試薬としては、エチレンジアミン四酢酸ナトリウム塩溶液を使用し、滴定ビュレット３は１台とした。なお、次に示す各試料容器Ｃ１、Ｃ２、Ｃ３、Ｃ４、Ｃ５は、それぞれ異なった所から得られた試料であり、対象とする鉛またはニッケルの濃度は各々で異なっている。
（指示薬）
Ｃ１、Ｃ３、Ｃ４：キシレノールオレンジ（水溶液中の鉛の分析）
Ｃ２、Ｃ５：ムレキシド（水溶液中のニッケルの分析）
干渉フィルタとしては、透過する光の波長が異なる２個の干渉フィルタｆ１、ｆ２を使用し、上記試料容器毎に自動的に交換して光度滴定を行った。
（干渉フィルタ）
ｆ１：透過波長５３０ｎｍ（試料容器Ｃ１、Ｃ３、Ｃ４に対して使用）
ｆ２：透過波長６３０ｎｍ（試料容器Ｃ２、Ｃ５に対して使用）
（光源）
タングステンランプ
【００５８】
上記構成の本発明に従った滴定装置にて、各試料の滴定試薬及び指示薬に対応した干渉フィルタを適切に選定することにより、極めて効率よく、迅速に、且つ、高精度にて試料の分析を行うことができた。
【００５９】
一方、従来の滴定装置では、先ずｆ１の干渉フィルタで試料容器Ｃ１、Ｃ３、Ｃ４の分析を連続的に行った後に、装置の動作を一端停止してからｆ２の干渉フィルタへ手動操作で交換し、次の試料容器Ｃ２、Ｃ５の分析を連続的に行う必要があり、余分な時間と手間がかかってしまう。
【００６０】
このように、本実施例の滴定装置１によれば、光度滴定において、使用されるフィルタが複数の波長の干渉フィルタの中の所望のフィルタに自動で切り替えられる。また、光度滴定の多検体測定においては、検体毎に目的波長の干渉フィルタに切り替えることができる。従って、滴定の目的物質により、最適の指示薬を使用することができ、最適な波長の干渉フィルタに切り替え、波長の異なる光度滴定を連続で効率よく、迅速に、且つ、高精度にて実施することができる。
【００６１】
また、必要に応じて、一つの検体に対して、連続的に複数個の干渉フィルタを切り替えて、各々のフィルタに対して、光度プローブにて色調変化を検出することによって、例えば低波長のフィルタから高波長のフィルタへと、段階的に光度滴定を実施することができる。従って、上記背景技術の特許文献１で説明したような、給水の硬度測定も、本実施例の滴定装置を使用して、即ち、一つの光源にて、複数個の干渉フィルタを切り替えて使用して、段階的に光度滴定を行うことにより、効率よく、迅速に、且つ、高精度にて実施可能である。なお、前記のように段階的に光度滴定を実施する以外に、複数個のフィルタを、例えば同期をとって一定時間ごとに交互に切り替えながら、光学滴定を実施することも可能である。
【００６２】
更に、本実施例の滴定装置は、従来装置に比較し、装置構成部材の数を減少することができ、滴定装置の小型化を図ることができる。
【図面の簡単な説明】
【００６３】
【図１】本発明に係る滴定装置の概略全体構成を示すブロック図である。
【図２】容器移送装置の斜視図である。
【図３】光度プローブの構成図である。
【図４】フィルター装置の一実施例を示すものであって、図４（ａ）は、断面図であり、図４（ｂ）は、複数のフィルタが取り付けられる円盤状の基板を示す正面図である。
【図５】従来の滴定装置の概略全体構成を示すブロック図である。
【図６】従来の滴定装置の概略全体構成を示す概略図である。
【符号の説明】
【００６４】
１          滴定装置
２          滴定装置本体
３          滴定ビュレット（滴定試薬供給装置）
４          容器移送装置
５          光度測定ユニット
７          光度プローブ
８          滴定ノズル
９          スターラ
１０        入力側光ファイバ
１０ａ      入射端
１１        出力側光ファイバ
１１ａ      出射端
３２        シリンジ
３４        滴定試薬容器
３５        ３方コック
４２        ターンテーブル
５１        発光部
５２        受光部
６０        フィルタ装置
６１、６３  フィルタ駆動手段
６２        回転円板
Ｃ          試料容器
ｆ（ｆ１、ｆ２、ｆ３、ｆ４）    干渉フィルタ
【図１】
0005045333.tif 000002
【図２】
0005045333.tif 000003
【図３】
0005045333.tif 000004
【図４】
0005045333.tif 000005
【図５】
0005045333.tif 000006
【図６】
0005045333.tif 000007